(57)【要約】【課題】省スペースでありながら、未記帳通帳の発行と記帳済通帳および取り忘れ通帳の回収が可能で、簡単な構造の通帳発行回収装置を実現する。【解決手段】未記帳通帳収納部と記帳済通帳および取り忘れ通帳回収部とを、トレイ１Ａ〜１Ｃで兼用させ、簡易な機構で両立させて省スペース図る。トレースをリンク２，３に固定し、該リンク２，３に接合するギャ４，５により、トレイ１Ａ〜１Ｃを上下方向、または斜め方向に移動させ、発行済みのトレイの空き状態をメモリに記憶して、それ以後は取り忘れ通帳の回収用トレイとして使用する。縦方向に重ねられた複数のトレイ１Ａ〜１Ｃのうちの該当トレイが搬送路に一致する位置にあるかをセンサ６により検知して、制御部からの指示で駆動モータ１４，１５を駆動してギャ４，５を回転させ、トレイを移動させる。【選択図】　　　　図１
2004030025.tif 000002
【特許請求の範囲】
【請求項１】
通帳を挿入する挿入口と、該通帳を搬送する複数個の相対するローラと、該通帳に印字する印字ヘッドと、該通帳の磁気ストライプをリードまたはライトするリーダライタとを備えた通帳発行回収装置において、
回収する通帳の種類を設定できる第一のトレイと、
記帳済み通帳または取り忘れ通帳の回収のトレイとして使用される第二のトレイと、
前記第一のトレイの通帳が発行されたことで、当該トレイが空きになったことを検出するセンサと、
前記センサが空を検出することで、該第一のトレイが未使用と記憶されるトレイ毎に通帳の情報と該トレイの状態情報とを記憶するメモリと、
前記メモリに記憶された前記通帳の情報と該トレイの状態情報によって、前記第一のトレイが回収する通帳の種類を変更する制御部と
を備えたことを特徴とする通帳発行回収装置。
【請求項２】
通帳を挿入させる挿入口と、挿入された通帳を搬送する複数個の相対するローラと、該通帳を搬送する搬送路と、印字手段である印字ヘッドと、該印字ヘットの後方に上下に縦列に位置させた、未記帳通帳、記帳済み通帳および取り忘れ通帳を収納する複数のトレイと、前記縦列に位置させた当該トレイの全てを上下移動可能にするリンクと、該リンクに当接して歯車を噛み合わせるギャと、該ギャを駆動する駆動モータと、当該トレイの位置を検出する該リンク上のセンサとを備えたことを特徴とする通帳発行回収装置。
【請求項３】
前記未記帳通帳発行用トレイおよび通帳回収用トレイは、縦方向に平行な２本のリンクに固定され、該リンクは各リンクに接合される２個のギャを同時に駆動することにより該トレイを上下方向に移動し、一方のギャを固定し、他方のギャのみ駆動することにより該トレイを斜め方向に回転させる構造を備えることを特徴とした請求項２に記載の通帳発行回収装置。
【発明の詳細な説明】
【０００１】
【発明の属する技術分野】
本発明は、金融機関で使用されている現金自動預払い機に内蔵されている通帳の印刷および発行を行う装置に係わり、特にコンピュータバンキングの一環として現金自動預払い機の設置を拡大した場合に、これに伴って設置スペースの効率化を図ることが可能な通帳発行回収装置に関するものである。
【０００２】
【従来の技術】
従来、このような現金自動預払い機等には利用者が取り忘れた通帳と通帳の必要頁全てへの印字が完了した通帳を回収する機構、および、前記印字が完了した通帳の代わりとなる未記帳通帳の発行機構の両機構が備えられているのが一般的である。
従来、特開２０００−３５３２６４号『通帳自動処理装置及び通帳自動処理方法』（以下、方式Ａと呼ぶ）の公報に示すものは、通帳を回収する記帳済通帳回収部６と未記帳通帳の発行部４は独立した機構となっていた。
また、特開平１０−２７５１９２号『通帳発行データ登録システムとデータベース登録システム』（以下、方式Ｂと呼ぶ）の公報に示すものは、通帳発行時の登録などの管理は行われているが、回収通帳については管理されていなかった。
【０００３】
また、特開平５−８１５１３号『現金自動取引システムにおける通帳取扱方法』（以下、方式Ｃと呼ぶ）の公報に示すものは、取り忘れた通帳をスタックしておき、ユーザからの情報を取引操作部とカード機構から取得して、スタック機構内の通帳のデータと照合して、一致すれば、スタック機構から搬送して挿入口に返却する機構を有している。しかし、詳細には、取り忘れの通帳を一旦スタック部にスタックし、その情報を記憶装置に記憶し、その日のうちにユーザが気がつき、取引操作部から口座番号を入力し、暗証番号を入力して返還を要求すると、スタック機構から搬送路を経由して挿入口に返却するが、１日の業務が終了した後は、スタック部から回収機構に収容替えされる。それ以後は、自動返還できない。
【０００４】
また、特開平８−３０８４２号『自動取引装置』（以下、方式Ｄと呼ぶ）の公報に示すものは、通帳発行部をオプションとしてＡＴＭの筐体の外側に配置したため、通帳記帳部を小型にでき、ＡＴＭの筐体を小型化している。従って、取り忘れ通帳の回収部と通帳発行部は全く別個の配置となっている。
さらに、特開平５−６１８９６号『請求書処理装置』（以下、方式Ｅと呼ぶ）の公報に示すものは、請求書をＯＣＲ読取部で種別を判別して、種別に基づき分割された集積箱に収納することにより、分類作業を不要にしている。しかし、装置内の取り忘れ回収箱と請求書保留部とは独立した別個の配置となっている。
【０００５】
さらに、特開平１１−３２０９９５号『印刷装置及び給紙制御プログラムを記録した記録媒体』（以下、Ｆ方式と呼ぶ）の公報に示すものは、サイズの異なる用紙の給紙ケースを上下方向に重ねた状態で給紙カセットに収納し、印刷時には給紙口と対向するように給紙カセットを昇降させる機構が開示されている。
【０００６】
【発明が解決しようとする課題】
しかしながら、上記従来例のうち、方式Ａと方式Ｄについては、通帳発行部と取り忘れ通帳回収部とは別個独立して配置しているので、小型化、小スペース化は不可能である。また、方式Ｂでは、通帳発行については登録管理などについて記載があるが、取り忘れ通帳の回収部については何も記載がない。また、方式Ｃについては、取り忘れ通帳の回収と返還について述べられているが、通帳発行の機能は備えられていない。なお、方式Ｃでは、スタック毎にセンサ、ゲートおよびゲートの駆動機構が必要であるため、高価な機構となってしまう。
さらに、方式Ｅについては、請求書の収納部と取り忘れ回収部とは別個独立して設けられており、方式Ｆについては、印刷用紙のサイズ毎の収納部の機構が示されているのみで、回収部の兼用の機構は何も示されていない。
【０００７】
そこで、本発明の目的は、未記帳通帳収納部と記帳済通帳回収部の占める空間の利用および機構の簡素化により、装置の小型化を図り、かつ回収された通帳の管理も同時に行うことが可能な通帳発行回収装置を提供することにある。
【０００８】
【課題を解決するための手段】
本発明の通帳発行回収装置は、未記帳通帳収納部と記帳済通帳回収部をトレイ、リンク、ギヤおよびモータの簡素な機構で同一化し、トレイ毎に一冊の通帳の収納、回収手段を設けることを特徴としている。
また、記帳済通帳または取り忘れ通帳が回収された場合、該通帳の口座番号、使用者氏名などをトレイ毎にメモリに記憶して、回収通帳の管理を行うことも特徴としている。
さらに、未記帳通帳が発行された後、該トレイが未使用と記憶されることで、記帳済または取り忘れ通帳の回収トレイとして再利用することも特徴としている。
【０００９】
【発明の実施の形態】
以下、本発明の実施の形態を、図面により詳細に説明する。
図１は、本発明の一実施形態を示す通帳発行回収装置の側断面図および平断面図である。
現金自動預払い機等に内蔵される通帳発行回収装置を示し、（ａ）は平面から見た模式図であり、（ｂ）は側面から見た模式図である。図では、本発明に係わる主要な部品以外は記載を省略した。１Ａ〜１Ｃは上下方向および回転可能なトレイ、２，３はトレイ１Ａ〜１Ｃを固定するリンク、４，５はトレイを上下方向または回転方向に移動させるギャ、６はトレイの使用状況を監視するセンサ、７はリンク３に設けられた穴、８〜１２は搬送ローラ、１３は通帳に印字する印字ヘッド、１４，１５はギァを回転させる駆動モータ、１６は通帳の発行口および挿入口、１７は通帳の搬送路、１８は通帳、１９はリンク２，３を固定するガイド、２０は磁気ストライプリーダライタである。
【００１０】
本装置は利用者が発行口１６から通帳１８を挿入した後、その通帳１８は搬送路１７を通り磁気ヘッド２０にて通帳１８の磁気ストライプに書き込んである口座番号、印字状況、利用者氏名等の通帳情報を読み込んだ後、印字ヘッド１３により通帳に印刷される。
その後、再度磁気ヘッド２０にて通帳の磁気ストライプに印字状況等の新しい通帳情報を書き込み、発行口１６より利用者に戻されるが、磁気ストライプの印字情報にて通帳１８への印字が全て完了した場合には、装置内部への回収が必要となり、かつ、当該通帳の代替として新規通帳の発行が必要となる。また、発行口１６に戻された通帳１８を利用者が取り忘れた場合にも、装置内部への回収が必要となる。このため、装置内部には未記帳通帳収納部と記帳済および取り忘れ通帳回収部を備えている。
【００１１】
本発明の主要部は以下のようになっている。通帳の発行、回収兼用のトレイ１Ａ〜１Ｃ（本図では７個のトレイ）はリンク２、３に固定されており、リンク２、３はガイド１９により本図の左右方向に固定されており、ギヤ４、５により上下に移動可能な機構となっており、ギヤ４、５を同時に駆動することによりトレイ１Ａ〜１Ｃは上下方向に移動し、またギヤ４は固定、ギヤ５のみの駆動によりトレイ１Ａ〜１Ｃは回転可能な機構となっている。なお、ここでは回転動作と言っても、後述の図４、図５に示すように、トレイ１Ａ〜１Ｃを重ね合わせたまま傾斜させるものである。
【００１２】
ギヤ４、５は、図１の駆動モータ１４、１５により回転する。通帳の発行、回収を行う場合の搬送は、搬送ローラ組８、９、１０、１１、１２によって行われるが、駆動方法等の詳細は既知の方法であるため、説明を省略する。また、搬送途中には印字ヘッド１３を備え、印字ヘッド１３は図１の平面図での上下方向に移動可能であり、搬送された通帳１８に既知の手段にて所定の印字を行うことができる。前記の如く、この時に通帳１８への印字が完了した場合には、通帳１８は装置内部に搬送路１７を通りローラ１２によりトレイ１Ａ〜１Ｃに回収され、その後、トレイ１Ａ〜１Ｃより新規通帳が搬出される。
【００１３】
図２は、図１における通帳発行回収装置の通帳の発行および回収時のフローチャートである。
（ａ）は利用者により通帳取り忘れ時の回収フローであり、（ｂ）は通帳印字完了時の通帳回収および発行時のフローである。
（ａ）において、利用者が通帳を挿入し（Ｓ１）、通帳が搬送されると（Ｓ２）、磁気ストライプリーダライタ２０によりＭＳ情報を読み込み（Ｓ３）、印字ヘッド１３で印字し（Ｓ４）、センタとの交信の後、再度、磁気ヘッド２０で新規情報のＭＳ書き込みを行う（Ｓ５）、通帳を搬送して（Ｓ６）、挿入口から通帳を排出する（Ｓ７）。ここで、利用者が通帳を取り忘れすると（Ｓ８）、時間経過を検出して、その通帳を逆向きに搬送し（Ｓ９）、通帳を回収する。
【００１４】
（ｂ）において、利用者が通帳を挿入し（Ｓ１１）、通帳が搬送されると（Ｓ１２）、磁気ストライプリーダライタ２０によりＭＳ情報を読み込み（Ｓ１３）、印字ヘッド１３で印字を行い（Ｓ１４）、印字を完了する（Ｓ１５）。この場合、印字が途中であっても、旧通帳の印字欄が満杯になると旧通帳への印字は完了となる。新通帳がトレイ１Ａ〜１Ｃから発行されて（Ｓ１６）、新通帳は搬送路に送出され（Ｓ１７）、搬送路を搬送された後（Ｓ１８）、印字ヘッド１３により印字情報を基に印字を行い（Ｓ２１）、次に、磁気ストライプリーダライタ２０により新規情報のＭＳ書き込みを行い（Ｓ２２）、通帳を搬送して（Ｓ２３）、挿入口から新規通帳を排出する。
一方、旧通帳は、トレイ１Ａ〜１Ｃに回収され（Ｓ１９）、トレイの使用状況の再設定が行われる（Ｓ２０）。すなわち、発行済みのトレイが旧通帳の回収トレイに変更された場合には、トレイの使用目的の変更をメモリに記憶し、回収した通帳の口座番号なども記憶する。
【００１５】
図３は、本発明における記帳済通帳および取り忘れ通帳の回収時の制御系のブロック図であり、図４および図５は、発行時と回収時のトレイの傾斜方向の図であり、図６は、図３における制御部の詳細構成図およびメモリの情報格納図である。
装置内部の制御部２６にて、搬送、印字、磁気ヘッド、および通帳の発行，回収等の制御を行っている。まず、通帳の発行および回収の制御方法について、図１、図３〜図５を用いて説明する。
図３では、制御部２６が搬送路を制御するとともに、搬送情報２２を受け取り、印字ヘッド１３を制御して印字させるとともに、印字情報２３を受け取る。また、磁気ストライプリーダライタ２０を制御してリードライトさせるとともに、その情報２１を受け取り、また発行回収トレイ１Ａ〜１Ｃを制御して通帳の発行および回収をさせるとともに、その情報２４を受け取る。また、制御部２６は、モータ２５を駆動して発行回収トレイ１Ａ〜１Ｃのギァ４，５を動作させる。さらに、図１に示すように、リンク３には複数の穴７があいており、センサ６により当該穴７の検知を行い、制御部２６に通知する。
【００１６】
トレイ１Ａ〜１Ｃでの通帳の発行、回収用トレイは、図３の矢印で示すように、初期の状態を記憶し、設定されており、ここでは３個の１Ｂは未記帳通帳収納トレイ１、２個の１Ａは回収用トレイ、２個の１Ｃは未記帳通帳収納トレイ２を設定している。なお、本実施例では、トレイ１Ａは回収用として空の設定、トレイ１Ｂ、１Ｃに２種類の通帳を各々収納することにする。
前記センサ６による当該穴７の検知とトレイ１Ａ〜１Ｃの設定とを比較することにより、トレイ１Ａ〜１Ｃの使用状態を判断する。回収を行う場合には、前記比較により回収可能なトレイ１Ａを判断し、リンク２、３およびギヤ４、５により図１のように搬送路１７と平行に当該トレイ１Ａを位置させ、搬送してきた通帳を回収する。
【００１７】
通帳を回収した後、図４のように、リンク２およびギヤ５により当該トレイ１ＡをＸ方向に回転させトレイ全体を右下に傾かせることにより、当該トレイ１Ａへの確実な回収とローラ１２による通帳の逆搬送を防止できる。また、同時に前記磁気ストライプの読み込みによる通帳情報を基に当該通帳の口座番号、使用者氏名等を記憶し、当該トレイ１Ａに回収したことを管理する。なお、本回収方式は利用者が通帳を取り忘れた時の回収時にも適用するものである。
【００１８】
図３のように、トレイ１Ａ〜１Ｃは当該トレイの設定を基にセンサ６により使用状況を制御されているが、新規通帳がトレイ１Ｂより発行される場合、図５のように、前記新規通帳がセットされている未記帳通帳収納トレイ１Ｂを搬送路１７より上部に位置させ、リンク２、ギヤ５により当該トレイ１ＢをＹ方向に回転させ右上に傾かせることにより、トレイ１Ｂよりの新規通帳の搬出を確実にし、ローラ１２により搬送路１７へ送出する。ローラ１２とトレイ１Ａ〜１Ｃの間には通帳を通すためのゲートが設けられている。
通帳を送出した後、送出された当該トレイ１Ｂは空の状態であることを制御部２６で認識され、また、通帳が回収された後の１Ａの状態として制御部２６に記憶され、回収用のトレイ１Ａとして再度使用されることとなる。
【００１９】
図６（ａ）は、図３における制御部２６の詳細構成図であり、図６（ｂ）は、図６（ａ）のメモリに格納されているテーブルの情報構成図である。
制御部２６には、プログラムを実行することにより全体の制御を行うＣＰＵ２６１と、トレイの情報を格納するテーブルおよびその他のデータを格納するメモリ（ＲＡＭ）２６２と、ＣＰＵ２６１が実行するプログラムを格納するＲＯＭ２６３とから構成される。
図６（ａ）のメモリ２６２には、図６（ｂ）に示すテーブルが格納される。テーブルには、トレイ番号（ｉ）２７と、通帳の情報２８と、当該トレイの状態２９とが記録される。本実施例では、トレイ番号２７として、１Ａ−１、１Ａ−２、１Ｂ−１、１Ｂ−２、１Ｂ−３、１Ｃ−１、１Ｃ−２の７つがあり、通帳の情報２８としては、磁気ストライプの読み込みによる通帳情報を基に当該通帳の口座番号、使用者氏名等を記憶し、状態２９としては、当該トレイ１Ａに回収したことを管理する。なお、発行した後に空になった状態なども記録される。また、本回収方法には、空きになったトレイや、格納場所が空いているトレイは、利用者が通帳を取り忘れた時の回収時にも利用するものである。このときには、状態２９として、利用者の取り忘れのため回収と記録する。
【００２０】
本発明の他の実施例として、郵便番号による郵便物配分方法のように、ローラ１２を通過した後に、複数の通路に分岐させて、各通路毎にトレイを複数配置して搬送路を搬送された通帳を指定のトレイに配送する方法がある。この実施例では、各位置にセンサと指示の伝達を受けて駆動するゲートを配置する必要があり、機構が複雑になる。また、場所も小スペース化ができないという問題もある。
通帳の発行、回収が省スペースで実現でき、簡単な機構で実現できるという点では、図１の実施の形態が優れている。
【００２１】
【発明の効果】
以上説明したように、本発明によれば、通帳の回収および発行を簡易な機構で兼用させ、１トレイに通帳１冊の収納としたことにより回収通帳の管理を確実にに行うことができる。
【図面の簡単な説明】
【図１】本発明の一実施形態を示す通帳発行回収装置の側断面図および平断面図である。
【図２】図１における取り忘れ時の回収時、および通帳の回収または発行時の動作フローチャートである。
【図３】本発明における記帳済通帳および取り忘れ通帳の回収時の制御系の動作説明図である。
【図４】本発明における未記帳通帳の発行時のトレイの状態を示す図である。
【図５】本発明における記帳済み通帳または取り忘れ通帳の回収時のトレイの状態を示す図である。
【図６】図３における制御部の詳細構成およびメモリ内のトレイ情報テーブルの構成図である。
【符号の説明】
１Ａ〜１Ｃ…通帳発行回収トレイ、２、３…リンク、４、５…ギヤ、
６…検知センサ、１４、１５…駆動モータ、１７…搬走路、１８…通帳、
７…リンク上の穴、８〜１２…搬送ローラ、１３…印字ヘッド、
１４，１５…駆動モータ、１６…通帳挿入口、１９…ガイド、
２０…磁気ストライプリーダライタ、２１…磁気ストライプ情報、
２２…搬送情報、２３…印字情報、２４…発行回収トレイ情報、
２５…モータ、２６…制御部、２６２…メモリ（ＲＡＭ）、２６１…ＣＰＵ、
２６３…プログラム記憶部（ＲＯＭ）、２７…トレイ番号、
２８…トレイに格納された通帳の磁気ストライプデータ、
２９…トレイの状態。
【図１】
2004030025.tif 000003
【図２】
2004030025.tif 000004
【図３】
2004030025.tif 000005
【図４】
2004030025.tif 000006
【図５】
2004030025.tif 000007
【図６】
2004030025.tif 000008